(57)【要約】【課題】コンデンサの耐振性を向上できるコンデンサ装置を提供する。【解決手段】本体ケース２１の一端の開口部２１ａを弾性体の封止体１５により封止されるコンデンサ１０を耐振ケース３０により横置き状態で保持するコンデンサ装置１において、本体ケース２１がコンデンサ素子１１の収納部２２と、径方向内側に突出して封止体１５の外周面を押圧する内方突出部２３と、内方突出部２３よりも開口部２１ａ側に配されて収納部２２よりも大径の外方突出部２４と、外方突出部２４から封止体１５の軸方向端面上に折り返される折返し部２５とを有するとともに、封止体１５が折返し部２５よりも軸方向外側に突出する軸方向突出部１６を有し、耐振ケース３０が、収納部２２の外周面を保持する外周保持部３２と、軸方向突出部１６の端面を支持する端面支持部３３と、外方突出部２４上の内方突出部２３側に当接する係止部３２ｂとを有する。【選択図】図１３
2020194939.tif 000002
【特許請求の範囲】
【請求項１】
コンデンサ素子を収納した筒状の本体ケースの一端の開口部を弾性体の封止体により封止されるコンデンサと、前記コンデンサを横置き状態で保持する耐振ケースとを備えたコンデンサ装置において、
前記本体ケースが、前記コンデンサ素子の収納部と、径方向内側に突出して前記封止体の外周面を押圧する内方突出部と、前記内方突出部よりも前記開口部側に配されて前記収納部よりも大径の外方突出部と、前記外方突出部から前記封止体の軸方向端面上に折り返される折返し部とを有するとともに、前記封止体が前記折返し部よりも軸方向外側に突出する軸方向突出部を有し、
前記耐振ケースが、前記収納部の外周面を保持する外周保持部と、前記軸方向突出部の端面を支持する端面支持部と、前記外方突出部上の前記内方突出部側に当接する係止部とを有することを特徴とするコンデンサ装置。
【請求項２】
前記外周保持部と前記端面支持部との間に軸方向の隙間を設け、前記係止部が前記外周保持部の一端により形成されることを特徴とする請求項１に記載のコンデンサ装置。
【請求項３】
前記係止部が前記外周保持部の内面を前記端面支持部に向かって外周側に傾斜した傾斜面により形成されることを特徴とする請求項２に記載のコンデンサ装置。
【請求項４】
前記外方突出部の内面側に前記封止体の径方向に隣接した空間を設けたことを特徴とする請求項１〜請求項３のいずれかに記載のコンデンサ装置。
【請求項５】
前記耐振ケースが、前記外周保持部と前記端面支持部とを連結する連結部を有し、前記連結部上に前記外方突出部が嵌まる凹部を設けたことを特徴とする請求項１〜請求項４のいずれかに記載のコンデンサ装置。
【請求項６】
前記外周保持部が軸方向に分割されることを特徴とする請求項１〜請求項５のいずれかに記載のコンデンサ装置。
【請求項７】
請求項１〜請求項６のいずれかに記載のコンデンサ装置に用いられることを特徴とする耐振ケース。
【発明の詳細な説明】
【技術分野】
【０００１】
本発明は、コンデンサを耐振ケースにより保持したコンデンサ装置に関する。また本発明はコンデンサを保持する耐振ケースに関する。
【背景技術】
【０００２】
近年、車載用途等の電解コンデンサは容量が大きく大型化しており、実装時の耐振性能が求められる。このため、電解コンデンサを横置き状態で保持するコンデンサ装置が特許文献１に開示される。このコンデンサ装置は電解コンデンサ及び耐振ケースを備えている。電解コンデンサは一端に開口部を有した有底筒状の本体ケース内にコンデンサ素子を収納し、開口部が弾性体の封止体により封止される。コンデンサ素子のリード端子は封止体を貫通する。
【０００３】
耐振ケースは一対の外周保持部と金属製の端子部とを備えている。外周保持部は弾性変形し、横置き状態の電解コンデンサの外周面を抱え込む。端子部はリード端子を挟持するスリットを有している。
【０００４】
上記構成のコンデンサ装置によると、横置き状態の電解コンデンサの周面が外周保持部により保持される。このため、大型化された電解コンデンサに対する耐振性を高くすることができる。
【先行技術文献】
【特許文献】
【０００５】
【特許文献１】特開２０１１−８２０４４号公報（第５頁−第１１頁、第３図）
【発明の概要】
【発明が解決しようとする課題】
【０００６】
しかしながら、上記従来のコンデンサ装置によると、電解コンデンサは外周保持部により径方向の揺動を抑制されるが、軸方向に揺動可能になっている。このため、耐振ケース内で電解コンデンサを軸方向に移動させる力がリード端子及びそれに接続されるコンデンサ素子に加わり、リード端子やコンデンサ素子が損傷する虞があった。
【０００７】
本発明はコンデンサの耐振性を向上できるコンデンサ装置及びそれに用いられる耐振ケースを提供することを目的とする。
【課題を解決するための手段】
【０００８】
上記目的を達成するために本発明は、コンデンサ素子を収納した筒状の本体ケースの一端の開口部を弾性体の封止体により封止されるコンデンサと、前記コンデンサを横置き状態で保持する耐振ケースとを備えたコンデンサ装置において、
前記本体ケースが、前記コンデンサ素子の収納部と、径方向内側に突出して前記封止体の外周面を押圧する内方突出部と、前記内方突出部よりも前記開口部側に配されて前記収納部よりも大径の外方突出部と、前記外方突出部から前記封止体の軸方向端面上に折り返される折返し部とを有するとともに、前記封止体が前記折返し部よりも軸方向外側に突出する軸方向突出部を有し、
前記耐振ケースが、前記収納部の外周面を保持する外周保持部と、前記軸方向突出部の端面を支持する端面支持部と、前記外方突出部上の前記内方突出部側に当接する係止部とを有することを特徴としている。
【０００９】
また本発明は上記構成のコンデンサ装置において、前記外周保持部と前記端面支持部との間に軸方向の隙間を設け、前記係止部が前記外周保持部の一端により形成されることを特徴としている。
【００１０】
また本発明は上記構成のコンデンサ装置において、前記係止部が前記外周保持部の内面を前記端面支持部に向かって外周側に傾斜した傾斜面により形成されることを特徴としている。
【００１１】
また本発明は上記構成のコンデンサ装置において、前記外方突出部の内面側に前記封止体の径方向に隣接した空間を設けたことを特徴としている。
【００１２】
また本発明は上記構成のコンデンサ装置において、前記耐振ケースが、前記外周保持部と前記端面支持部とを連結する連結部を有し、前記連結部上に前記外方突出部が嵌まる凹部を設けたことを特徴としている。
【００１３】
また本発明は上記構成のコンデンサ装置において、前記外周保持部が軸方向に分割されることを特徴としている。
【００１４】
また本発明の耐振ケースは、上記構成のコンデンサ装置に用いられることを特徴としている。
【発明の効果】
【００１５】
本発明によると、耐振ケースが横置き状態のコンデンサの収納部の外周面を保持する外周保持部と、軸方向突出部の端面に当接する端面支持部と、外方突出部上の内方突出部側に当接する係止部とを有する。このため、外周保持部によってコンデンサの径方向の揺動が抑制され、端面支持部及び係止部によってコンデンサの軸方向の揺動が抑制される。従って、コンデンサの耐振性を高くすることができる。
【図面の簡単な説明】
【００１６】
【図１】本発明の第１実施形態のコンデンサ装置を示す斜視図
【図２】本発明の第１実施形態のコンデンサ装置を示す正面図
【図３】本発明の第１実施形態のコンデンサ装置を示す側面図
【図４】本発明の第１実施形態のコンデンサ装置を示す上面図
【図５】本発明の第１実施形態のコンデンサ装置を示す底面図
【図６】本発明の第１実施形態のコンデンサ装置の電解コンデンサを示す斜視図
【図７】本発明の第１実施形態のコンデンサ装置の電解コンデンサを示す上面断面図
【図８】本発明の第１実施形態のコンデンサ装置の耐振ケースを示す斜視図
【図９】本発明の第１実施形態のコンデンサ装置の耐振ケースを示す上面図
【図１０】図４のＡ−Ａ断面図
【図１１】図４のＢ−Ｂ断面図
【図１２】図４のＣ−Ｃ断面図
【図１３】本発明の第１実施形態のコンデンサ装置の要部を示す上面断面図
【図１４】本発明の第２実施形態のコンデンサ装置を示す斜視図
【図１５】本発明の第３実施形態のコンデンサ装置を示す正面図
【図１６】本発明の第３実施形態のコンデンサ装置を示す側面図
【図１７】本発明の第４実施形態のコンデンサ装置を示す正面断面図
【図１８】本発明の第４実施形態のコンデンサ装置を示す底面図
【図１９】本発明の第５実施形態のコンデンサ装置を示す正面断面図
【図２０】本発明の第６実施形態のコンデンサ装置を示す正面断面図
【発明を実施するための形態】
【００１７】
＜第１実施形態＞
以下に図面を参照して本発明の実施形態を説明する。図１〜図５はそれぞれ第１実施形態のコンデンサ装置の斜視図、正面図、側面図、上面図及び底面図を示している。コンデンサ装置１は電解コンデンサ１０及び耐振ケース３０を備え、横置き状態の電解コンデンサ１０を耐振ケース３０により保持する。
【００１８】
図６、図７は電解コンデンサ１０の斜視図及び上面断面図を示している。本実施形態の電解コンデンサ１０はコンデンサ素子１１、本体ケース２１及び封止体１５を備えている。
【００１９】
コンデンサ素子１１は誘電体被膜を有した帯状の陽極（不図示）と帯状の陰極（不図示）とを絶縁体のセパレータ（不図示）を介して巻回して形成される。陽極及び陰極にはそれぞれリード端子１２及びリード端子１３が接続される。コンデンサ素子１１は電解液を充填した本体ケース２１内に収納される。
【００２０】
本体ケース２１はアルミニウム等の金属により一端に開口部２１ａを有した断面円形の有底筒状に形成される。本体ケース２１は円筒状の収納部２２から絞り加工によって開口部２１ａに向かって順に、内方突出部２３、外方突出部２４、折返し部２５が形成される。
【００２１】
円筒形の収納部２２にはコンデンサ素子１１が収納される。内方突出部２３は収納部２２に連続して径方向内側に突出し、後述するように封止体１５の外周面を押圧する。外方突出部２４は内方突出部２３の一端から径方向外側に突出する。外方突出部２４は収納部２２よりも大径に形成され、本体ケース２１の最大径を有する。折返し部２５は外方突出部２４からカーリング加工によって折り返され、後述するように封止体１５の軸方向端面上に配される。
【００２２】
封止体１５はゴム等の絶縁体の弾性材料の成形品により一対の貫通孔１５ａを有した円板状に形成され、本体ケース２１の開口部２１ａに配される。封止体１５には折返し部２５よりも軸方向外側に突出する略円形の軸方向突出部１６が設けられる。
【００２３】
封止体１５は絞り加工前の本体ケース２１の開口部２１ａに配され、封止体１５の貫通孔１５ａにはコンデンサ素子１１のリード端子１２、１３がそれぞれ圧入される。次に、本体ケース２１に絞り加工が施され、内方突出部２３が封止体１５に対向して形成される。封止体１５は内方突出部２３により外周面を押圧されて弾性変形し、内方突出部２３の内周面に密接する。
【００２４】
また、内方突出部２３に連続して外方突出部２４及び折返し部２５が形成され、折返し部２５の開放端が封止体１５の軸方向端面上に配される。これにより、コンデンサ素子１１を収納した本体ケース２１の開口部２１ａが弾性体の封止体１５により封止される。
【００２５】
図８及び図９は耐振ケース３０の斜視図及び上面図を示している。耐振ケース３０は絶縁体の樹脂成形品により形成され、連結部３１により連結される外周保持部３２及び端面支持部３３を備えている。
【００２６】
耐振ケース３０を形成する樹脂として、ＰＰＳ（ポリフェニレンサルファイド）、ＰＰＡ（ポリフタルアミド）、ＰＥＥＫ（ポリエーテルエーテルケトン）、ＰＢＴ（ポリブチレンテレフタレート）、フッ素樹脂等を挙げることができる。耐薬品性及びコストの点でＰＰＳ、ＰＰＡ、またはＰＢＴにより耐振ケース３０を形成すると特に好ましい。
【００２７】
外周保持部３２は上端を開放した断面Ｃ字状に形成され、上端部を両側方に弾性変形可能になっている。外周保持部３２の内面３２ａは電解コンデンサ１０の収納部２２の外周面と同じ曲率で、中心角が１８０°よりも大きい円筒面により形成される。これにより、外周保持部３２は電解コンデンサ１０の収納部２２を保持する。
【００２８】
端面支持部３３は連結部３１の一端に立設され、外周保持部３２の端面から電解コンデンサ１０の軸方向に所定の隙間３４を介して配される。端面支持部３３にはリード端子１２、１３（図６参照）が挿入される一対のスリット３３ａが上下方向に延びて設けられる。
【００２９】
端面支持部３３の前面にはスリット３３ａを覆う一対のカバー部３３ｂが設けられる。カバー部３３ｂによってリード端子１２、１３がスリット３３ａ内に保持される。
【００３０】
隙間３４内の連結部３１の上面には外方突出部２４が嵌まる凹部３１ａが設けられる。耐振ケース３０の下面にはスリット３３ａに連続する一対の溝部３０ａ（図５参照）が設けられる。
【００３１】
また、耐振ケース３０の下面には、配線基板（不図示）に設けた貫通孔に係合する接続固定部３６（図２、図５参照）が設けられる。
【００３２】
図１〜図５において、電解コンデンサ１０は軸方向を前後方向に向けて上方から外周保持部３２に挿入される。この時、電解コンデンサ１０の外方突出部２４が耐振ケース３０の隙間３４内に配され、収納部２２が外周保持部３２の上端から押し込まれる。これにより、耐振ケース３０の外周保持部３２が弾性により左右に広がり、電解コンデンサ１０が耐振ケース３０内に収まると外周保持部３２が弾性復帰する。その結果、本体ケース２１の収納部２２の外周部分が、耐振ケース３０の外周保持部３２により保持される。
【００３３】
また、リード端子１２、１３は端面支持部３３のスリット３３ａに挿入され、スリット３３ａ内で下方に屈曲してカバー部３３ｂにより保持される。下方に延びるリード端子１２、１３は配線基板に設けたスルーホールに挿通して半田付けされる。これにより、コンデンサ装置１が配線基板に実装される。この時、接続固定部３６が配線基板に設けた貫通孔に係合し、コンデンサ装置１を強固に固定することができる。
【００３４】
図１０、図１１、図１２はそれぞれ図４のＡ−Ａ断面図、Ｂ−Ｂ断面図、Ｃ−Ｃ断面図を示している。本体ケース２１の収納部２２の外周面は外周保持部３２の内面３２ａと接して保持される。これにより、振動による電解コンデンサ１０の径方向の揺動が抑制される。
【００３５】
また、本体ケース２１の外方突出部２４は隙間３４内に挿入され、連結部３１に設けた凹部３１ａ内に嵌まる。これにより、外方突出部２４と連結部３１との干渉を防止し、外周保持部３２の内面３２ａの下端と連結部３１の上面とを同じ高さに配置することができる。このため、連結部３１の厚みを確保して耐振ケース３０の強度を高くすることができる。
【００３６】
図１３はコンデンサ装置１の要部の上面断面図を示している。コンデンサ装置１は本体ケース２１の収納部２２を外周保持部３２により保持した状態で封止体１５の軸方向突出部１６が端面支持部３３に当接する。また、本体ケース２１の外方突出部２４の内方突出部２３側が外周保持部３２の一端の係止部３２ｂに当接する。
【００３７】
係止部３２ｂは外周保持部３２の内面３２ａを端面支持部３３に向かって外周側に傾斜した傾斜面により形成される。また、係止部３２ｂは同図に示すように外方突出部２４に沿った曲線状の断面形状を有している。これにより、係止部３２ｂを外方突出部２４に密着させることができる。
【００３８】
封止体１５が弾性体により形成されるため、軸方向突出部１６は端面支持部３３に当接して弾性変形する。これにより、電解コンデンサ１０の外周保持部３２から前方部分は、隙間３４部分において端面支持部３３及び係止部３２ｂによって挟持される。従って、振動による電解コンデンサ１０の軸方向の揺動が抑制される。
【００３９】
その結果、電解コンデンサ１０のリード端子１２、１３やコンデンサ素子１１に加わる衝撃を小さくして損傷の可能性を低くすることができる。これにより、電解コンデンサ１０の耐振性を高くすることができる。
【００４０】
また、本体ケース２１の外方突出部２４の内面側には封止体１５の径方向に隣接した封止体１５が存在しない空間Ｓが設けられる。外方突出部２４は係止部３２ｂに当接した際に空間Ｓによって僅かに弾性変形することができる。このため、電解コンデンサ１０を耐振ケース３０内に容易に押し込むことができる。
【００４１】
尚、係止部３２ｂを傾斜面により形成しているが、外周保持部３２の内面３２ａと軸方向に垂直な端面との境界線により形成してもよい。また、係止部３２ｂを外周保持部３２の一端により形成しているが、外周保持部３２よりも前方の連結部３１上に係止部３２ｂを設けてもよい。
【００４２】
本実施形態によると、耐振ケース３０が横置き状態の電解コンデンサ１０の収納部２２の外周面を保持する外周保持部３２と、軸方向突出部１６の端面に当接する端面支持部３３と、外方突出部２４上の内方突出部２３側に当接する係止部３２ｂとを有する。このため、外周保持部３２によって電解コンデンサ１０の径方向の揺動が抑制され、端面支持部３３及び係止部３２ｂによって電解コンデンサの軸方向の揺動が抑制される。従って、電解コンデンサ１０の耐振性を高くすることができる。
【００４３】
また、外周保持部３２と端面支持部３３との間に軸方向の隙間３４を設け、係止部３２ｂが外周保持部３２の一端により形成される。このため、隙間３４内に配した外方突出部２４に当接する係止部３２ｂを容易に実現することができる。
【００４４】
また、係止部３２ｂが外周保持部３２の内面３２ａを端面支持部３３に向かって外周側に傾斜した傾斜面により形成される。これにより、係止部３２ｂを外方突出部２４に密着させることができる。
【００４５】
また、外方突出部２４の内面側に封止体１５の径方向に隣接した空間Ｓを設けたので、電解コンデンサ１０を耐振ケース３０内に容易に押し込むことができる。従って、コンデンサ装置１の組み立て時の作業性を向上することができる。
【００４６】
また、外周保持部３２と端面支持部３３とを連結する連結部３１上に外方突出部２４が嵌まる凹部３１ａを設けている。これにより、外方突出部２４と連結部３１との干渉を防止し、外周保持部３２の内面３２ａの下端と連結部３１の上面とを同じ高さに配置することができる。このため、連結部３１の厚みを確保して耐振ケース３０の強度を高くすることができる。
【００４７】
＜第２実施形態＞
次に、図１４は第２実施形態のコンデンサ装置１の斜視図を示している。説明の便宜上、前述の図１〜図１３に示す第１実施形態と同様の部分には同一の符号を付している。本実施形態は耐振ケース３０の外周保持部３２の構造が第１実施形態と異なっている。その他の部分は第１実施形態と同一である。
【００４８】
耐振ケース３０の外周保持部３２は上端から上下方向に延びるスリット３２ｃを有している。これにより、外周保持部３２は底部を連結した状態で軸方向に分割される。
【００４９】
外周保持部３２は軸方向に分割されるため、電解コンデンサ１０を押し込む際に容易に弾性変形することができる。これにより、コンデンサ装置１の組み立て時の作業性を向上することができる。
【００５０】
＜第３実施形態＞
次に、図１５、図１６は第３実施形態のコンデンサ装置１の正面図及び側面図を示している。説明の便宜上、前述の図１〜図１３に示す第１実施形態と同様の部分には同一の符号を付している。本実施形態は接続固定部３６（図２参照）に替えて補助端子３７が設けられる。その他の部分は第１実施形態と同一である。
【００５１】
補助端子３７は金属製のピンにより形成され、耐振ケース３０の底面の４箇所に突出して配される。補助端子３７を耐振ケース３０の底面の１箇所に設けてもよく、複数箇所に設けてもよい。
【００５２】
スリット３３ａ内を下方に延びるリード端子１２、１３は配線基板（不図示）に設けたスルーホールに挿通して半田付けされる。これにより、コンデンサ装置１が配線基板に実装される。また、補助端子３７は配線基板に設けた貫通孔に挿通して半田付けされ、コンデンサ装置１を強固に固定することができる。
【００５３】
本実施形態によると、第１、第２実施形態と同様の効果を得ることができる。
【００５４】
＜第４実施形態＞
次に、図１７、図１８は第４実施形態のコンデンサ装置１の正面断面図及び底面図を示している。説明の便宜上、前述の図１〜図１３に示す第１実施形態と同様の部分には同一の符号を付している。本実施形態は接続固定部３６（図２参照）に替えて補助端子３８が設けられる。その他の部分は第１実施形態と同一である。
【００５５】
補助端子３８は金属板を折曲して形成され、２色成形等によって耐振ケース３０の底面の４箇所に露出して配される。補助端子３８を耐振ケース３０の底面の１箇所に設けてもよく、複数箇所に設けてもよい。
【００５６】
スリット３３ａ内のリード端子１２、１３は下方に折曲され、下端で折曲されて耐振ケース３０の底面の溝部３０ａ内を後方に延びる。そして、溝部３０ａ内のリード端子１２、１３の半田付けによってコンデンサ装置１が配線基板（不図示）に実装される。また、補助端子３８が配線基板上に半田付けされ、コンデンサ装置１を強固に固定することができる。
【００５７】
溝部３０ａ内にリード端子１２、１３が配され、補助端子３８が底面に沿って露出するため、耐振ケース３０の底面を配線基板上に密接させることができる。これにより、電解コンデンサ１０の水平状態を維持することができる。
【００５８】
本実施形態によると、第１、第２実施形態と同様の効果を得ることができる。尚、第１〜第３実施形態のコンデンサ装置１のリード端子１２、１３を本実施形態と同様に後方に屈曲して溝部３０ａ内に配してもよい。
【００５９】
＜第５、第６実施形態＞
次に、図１９、図２０は第５実施形態及び第６実施形態のコンデンサ装置１の正面断面図を示しており、前述の図１０と同様に収納部２２上の軸方向に垂直な断面を示している。説明の便宜上、前述の図１〜図１３に示す第１実施形態と同様の部分には同一の符号を付している。本実施形態は耐振ケース３０の外周保持部３２の構造が第１実施形態と異なっている。その他の部分は第１実施形態と同一である。
【００６０】
図１９のコンデンサ装置１は、耐振ケース３０の外周保持部３２の内面３２ａの下面３２ｄが水平な平面により形成される。図２０のコンデンサ装置１は、耐振ケース３０の外周保持部３２の内面の下面３２ｅが水平に対してＶ字状に傾斜した２つの平面により形成される。
【００６１】
電解コンデンサ１０の収納部２２は下面３２ｄ上または下面３２ｅ上に載置され、外周保持部３２により保持される。これらの構成によっても第１、第２実施形態と同様の効果を得ることができる。
【００６２】
尚、第１〜第６実施形態において、コンデンサ装置１が電解コンデンサ１０を備えているが、他のコンデンサを備えたコンデンサ装置１であってもよい。
【産業上の利用可能性】
【００６３】
本発明は、コンデンサを搭載する自動車、電子機器等に利用することができる。
【符号の説明】
【００６４】
１      コンデンサ装置
１０      電解コンデンサ
１１      コンデンサ素子
１２、１３  リード端子
１５      封止体
１５ａ    貫通孔
１６      軸方向突出部
２１      本体ケース
２１ａ    開口部
２２      収納部
２３      内方突出部
２４      外方突出部
２５      折返し部
３０      耐振ケース
３０ａ    溝部
３１      連結部
３１ａ    凹部
３２      外周保持部
３２ａ    内面
３２ｂ    係止部
３２ｃ    スリット
３２ｄ、３２ｅ  下面
３３      端面支持部
３３ａ    スリット
３４      隙間
３６      接続固定部
３７、３８  補助端子
Ｓ      空間
【図１】
2020194939.tif 000003
【図２】
2020194939.tif 000004
【図３】
2020194939.tif 000005
【図４】
2020194939.tif 000006
【図５】
2020194939.tif 000007
【図６】
2020194939.tif 000008
【図７】
2020194939.tif 000009
【図８】
2020194939.tif 000010
【図９】
2020194939.tif 000011
【図１０】
2020194939.tif 000012
【図１１】
2020194939.tif 000013
【図１２】
2020194939.tif 000014
【図１３】
2020194939.tif 000015
【図１４】
2020194939.tif 000016
【図１５】
2020194939.tif 000017
【図１６】
2020194939.tif 000018
【図１７】
2020194939.tif 000019
【図１８】
2020194939.tif 000020
【図１９】
2020194939.tif 000021
【図２０】
2020194939.tif 000022